(57)【特許請求の範囲】
【請求項１】
（ａ）ネットワークを介してモバイル端末との間でデータの送受信を行う第１の通信部と、
（ｂ）モバイル端末との間で近距離無線通信を行い、データの送受信を行う第２の通信部と、
（ｃ）データのフィルタリングを行う通信フィルタリング部と、
（ｄ）あらかじめ設定された所定の時刻になると、前記第２の通信部によって取得されたモバイル端末の識別情報に基づいて、前記通信フィルタリング部におけるフィルタリングの設定を行う制御部とを有するとともに、
（ｅ）該制御部は、前記第２の通信部によって取得されたモバイル端末の識別情報を記憶装置に記録し、
（ｆ）前記通信フィルタリング部は、前記第１の通信部が、前記ネットワークを介して前記モバイル端末からデータを受信した際、前記第１の通信部を介して、当該受信したデータの送信元のモバイル端末の識別情報を取得し、取得した識別情報と、前記記憶装置に記録された識別情報とが同じである場合には、モバイル端末から受信したデータ、又は、自装置内の読取データを保持し、取得した識別情報と、記憶装置に記録された識別情報とが異なる場合には、モバイル端末から受信したデータ、又は自装置内の読取データを破棄することを特徴とする画像処理装置。
【請求項２】
（ａ）ネットワークを介してモバイル端末との間でデータの送受信を行う第１の通信部と、
（ｂ）モバイル端末との間で近距離無線通信を行い、データの送受信を行う第２の通信部と、
（ｃ）データのフィルタリングを行う通信フィルタリング部と、
（ｄ）モバイル端末のメニューにおいてフィルタリングの機能が選択されると、前記第２の通信部によって取得されたモバイル端末の識別情報に基づいて、前記通信フィルタリング部におけるフィルタリングの設定を行う制御部とを有するとともに、
（ｅ）該制御部は、前記第２の通信部によって取得されたモバイル端末の識別情報を記憶装置に記録し、
（ｆ）前記通信フィルタリング部は、前記第１の通信部が、前記ネットワークを介して前記モバイル端末からデータを受信した際、前記第１の通信部を介して、当該受信したデータの送信元のモバイル端末の識別情報を取得し、取得した識別情報と、前記記憶装置に記録された識別情報とが同じである場合には、モバイル端末から受信したデータ、又は、自装置内の読取データを保持し、取得した識別情報と、記憶装置に記録された識別情報とが異なる場合には、モバイル端末から受信したデータ、又は自装置内の読取データを破棄することを特徴とする画像処理装置。
【請求項３】
（ａ）ネットワークを介してモバイル端末との間でデータの送受信を行う第１の通信部と、
（ｂ）モバイル端末との間で近距離無線通信を行い、データの送受信を行う第２の通信部と、
（ｃ）データのフィルタリングを行う通信フィルタリング部と、
（ｄ）前記第２の通信部によって取得されたモバイル端末の識別情報に基づいて、前記通信フィルタリング部におけるフィルタリングの設定を行う制御部と、
（ｅ）画像処理装置と前記モバイル端末との距離が所定の値より長いかどうかを判定する端末距離判定部とを有するとともに、
（ｆ）前記制御部は、前記第２の通信部によって取得されたモバイル端末の識別情報を記憶装置に記録し、所定の解除条件が成立するとフィルタリングの設定を解除し、フィルタリングの設定が解除される旨の警告をモバイル端末の利用者に通知し、
（ｇ）前記通信フィルタリング部は、前記第１の通信部が、前記ネットワークを介して前記モバイル端末からデータを受信した際、前記第１の通信部を介して、当該受信したデータの送信元のモバイル端末の識別情報を取得し、取得した識別情報と、前記記憶装置に記録された識別情報とが同じである場合には、モバイル端末から受信したデータ、又は、自装置内の読取データを保持し、取得した識別情報と、記憶装置に記録された識別情報とが異なる場合には、モバイル端末から受信したデータ、又は自装置内の読取データを破棄し、
（ｈ）前記解除条件は、画像処理装置と前記モバイル端末との距離が所定の値より長い場合に成立することを特徴とする画像処理装置。
【請求項４】
前記第２の通信部は、モバイル端末が画像処理装置にかざされるとモバイル端末の識別情報を取得する請求項１〜３のいずれか１項に記載の画像処理装置。
【請求項５】
前記制御部は、所定の解除条件が成立するとフィルタリングの設定を解除する請求項１又は２に記載の画像処理装置。
【請求項６】
前記所定の解除条件は、画像処理装置における画像処理が終了すると成立する請求項５に記載の画像処理装置。
【請求項７】
前記所定の解除条件は、モバイル端末が画像処理装置にかざされると成立する請求項５に記載の画像処理装置。
【請求項８】
(ａ）画像処理装置と前記モバイル端末との距離が所定の値より長いかどうかを判定する端末距離判定部を有するとともに、
（ｂ）前記解除条件は、画像処理装置と前記モバイル端末との距離が所定の値より長い場合に成立する請求項５に記載の画像処理装置。
【請求項９】
前記制御部は、フィルタリングの設定が解除される旨の警告をモバイル端末の利用者に通知する請求項８に記載の画像処理装置。
【請求項１０】
前記請求項１〜９のいずれか１項に記載の画像処理装置を有する画像処理システム。
【発明の詳細な説明】
【技術分野】
【０００１】
本発明は、画像処理装置及び画像処理システムに関するものである。
【背景技術】
【０００２】
従来、受信したデータをフィルタリングする機能を備えるとともに、特定の端末から送信されたデータをフィルタリングの対象外にすることができる情報処理装置が提供されている。
【０００３】
該情報処理装置においては、特定の端末との接続が検出されると、接続が検出された端末のＭＡＣアドレス（Ｍｅｄｉａ  Ａｃｃｅｓｓ  Ｃｏｎｔｒｏｌ  ａｄｄｒｅｓｓ）がテーブルに記録され、いずれかの端末からデータを受信すると、データの送信元の装置のＭＡＣアドレスがテーブルに記録されているＭＡＣアドレスと同じである場合、受信したデータは破棄されず、送信元の装置のＭＡＣアドレスがテーブルに記録されているＭＡＣアドレスと異なる場合、受信したデータが破棄されるようになっている（例えば、特許文献１参照。）。
【０００４】
ところで、前記情報処理装置のフィルタリング機能を画像処理装置、例えば、複合機に適用し、特定の端末だけが複合機を使用することができ、特定の端末以外の端末は使用することができないようにすることが考えられる。
【先行技術文献】
【特許文献】
【０００５】
【特許文献１】特開２０１４−１２７８３８号公報
【発明の概要】
【発明が解決しようとする課題】
【０００６】
しかしながら、複合機において、特定の端末だけが複合機を使用することができるようにするためには、ホストコンピュータを複合機に接続する必要があるので、ホストコンピュータの操作者がネットワーク等に関する詳しい知識を有している必要があるだけでなく、複合機においてフィルタリングの設定をする方法が複雑であるので、設定のための作業が煩わしい。
【０００７】
また、フィルタリングを正しく設定することができない場合、特定の端末以外の端末によって複合機が使用され、セキュリティの問題が発生してしまうことがある。
【０００８】
本発明は、前記従来の複合機の問題点を解決して、特定の端末だけが使用することができるように容易にフィルタリングの設定を行うことができ、セキュリティの問題が発生することがない画像処理装置及び画像処理システムを提供することを目的とする。
【課題を解決するための手段】
【０００９】
そのために、本発明の画像処理装置においては、ネットワークを介してモバイル端末との間でデータの送受信を行う第１の通信部と、モバイル端末との間で近距離無線通信を行い、データの送受信を行う第２の通信部と、データのフィルタリングを行う通信フィルタリング部と、あらかじめ設定された所定の時刻になると、前記第２の通信部によって取得されたモバイル端末の識別情報に基づいて、前記通信フィルタリング部におけるフィルタリングの設定を行う制御部とを有する。
そして、該制御部は、前記第２の通信部によって取得されたモバイル端末の識別情報を記憶装置に記録する。
また、前記通信フィルタリング部は、前記第１の通信部が、前記ネットワークを介して前記モバイル端末からデータを受信した際、前記第１の通信部を介して、当該受信したデータの送信元のモバイル端末の識別情報を取得し、取得した識別情報と、前記記憶装置に記録された識別情報とが同じである場合には、モバイル端末から受信したデータ、又は、自装置内の読取データを保持し、取得した識別情報と、記憶装置に記録された識別情報とが異なる場合には、モバイル端末から受信したデータ、又は自装置内の読取データを破棄する。
【発明の効果】
【００１０】
本発明によれば、画像処理装置においては、ネットワークを介してモバイル端末との間でデータの送受信を行う第１の通信部と、モバイル端末との間で近距離無線通信を行い、データの送受信を行う第２の通信部と、データのフィルタリングを行う通信フィルタリング部と、あらかじめ設定された所定の時刻になると、前記第２の通信部によって取得されたモバイル端末の識別情報に基づいて、前記通信フィルタリング部におけるフィルタリングの設定を行う制御部とを有する。
そして、該制御部は、前記第２の通信部によって取得されたモバイル端末の識別情報を記憶装置に記録する。
また、前記通信フィルタリング部は、前記第１の通信部が、前記ネットワークを介して前記モバイル端末からデータを受信した際、前記第１の通信部を介して、当該受信したデータの送信元のモバイル端末の識別情報を取得し、取得した識別情報と、前記記憶装置に記録された識別情報とが同じである場合には、モバイル端末から受信したデータ、又は、自装置内の読取データを保持し、取得した識別情報と、記憶装置に記録された識別情報とが異なる場合には、モバイル端末から受信したデータ、又は自装置内の読取データを破棄する。
【００１１】
この場合、第２の通信部によって、近距離無線通信が行われ、モバイル端末の識別情報が取得され、取得されたモバイル端末の識別情報に基づいて、通信フィルタリング部におけるフィルタリングの設定が行われるので、上位装置を画像処理装置に接続する必要がなく、画像処理装置においてフィルタリングの設定をする方法が簡単であるので、設定のための作業を簡素化することができる。したがって、識別情報が取得されたモバイル端末だけが画像処理装置を使用することができるように容易に設定することができる。
【００１２】
また、フィルタリングを正しく設定することができるので、特定の端末以外の端末によって画像処理装置が使用されることがない。したがって、セキュリティの問題が発生することがない。
【図面の簡単な説明】
【００１３】
【図１】本発明の実施の形態における複合機の制御ブロック図である。
【図２】本発明の実施の形態における複合機とモバイル端末とのネットワーク接続の例を示す図である。
【図３】本発明の実施の形態における画像形成システムの動作を示すフローチャートである。
【図４】本発明の実施の形態におけるモバイル端末のＭＡＣアドレスの例を示す図である。
【図５】本発明の実施の形態における印刷を行うときの複合機の動作を示すフローチャートである。
【図６】本発明の実施の形態におけるフィルタリングの設定を解除する場合の複合機の動作を示すフローチャートである。
【発明を実施するための形態】
【００１４】
以下、本発明の実施の形態について図面を参照しながら詳細に説明する。この場合、画像処理装置としての複合機について説明する。
【００１５】
図１は本発明の実施の形態における複合機の制御ブロック図である。
【００１６】
図において、１０は画像の形成、画像の読取り等の画像処理を行う複合機、１１は、該複合機１０にセットされた原稿の画像を読み取る、例えば、スキャナから成る画像読取部、１２は、上位装置としての図示されないホストコンピュータから送信されたデータ、本実施の形態においては、ページ記述言語で記載されたＰｏｓｔ  Ｓｃｒｉｐｔ形式の印刷データを解析し、現像剤としてのトナーによる画像を形成して印刷を行う印刷部、１３は、ネットワークＮｔに接続され、各プロトコルを用いて、複合機１０と接続された端末との間で各種のデータの送受信を行う第１の通信部としてのネットワーク通信部である。該ネットワーク通信部１３は、印刷データを受信する場合、ＬＰＲ（Ｌｉｎｅ  ＰＲｉｎｔｅｒ  ｄａｅｍｏｎ  ｐｒｏｔｏｃｏｌ）、Ｐｏｒｔ９１００、ＩＰＰ（Ｉｎｔｅｒｎｅｔ  Ｐｒｉｎｔｉｎｇ  Ｐｒｏｔｏｃｏｌ）等のプロトコルのサーバとして機能する。
【００１７】
また、１４は、複合機１０の設定値、複合機１０と接続された端末の識別情報、本実施の形態においては、ＭＡＣアドレス等のデータを記録するための記憶装置としてのデータ記憶部、１５は表示・操作部である。該表示・操作部１５は、複合機１０のステータス、メニュー等の情報を表示することによって、複合機１０の使用者に対して複合機１０の状況を通知するディスプレイ等の表示部、及び複合機１０の設定を変更したり、複合機１０の各機能を実行したりするための操作要求を受け付ける操作パネル等の操作部を備える。
【００１８】
そして、１６は、前記ネットワーク通信部１３が受信したデータをフィルタリングする通信フィルタリング部、１７は、ＦｅｌｉＣａ（登録商標）等のＮＦＣ（Ｎｅａｒ  Ｆｉｅｌｄ  Ｃｏｍｍｕｎｉｃａｔｉｏｎ）（登録商標）の規格に準拠した端末が複合機１０にかざされると、端末との間において近距離無線通信を行い、データを送受信する第２の通信部としての近距離無線通信部、１８は、Ｂｌｕｅｔｏｏｔｈ（登録商標）の機能を有し、Ｂｌｕｅｔｏｏｔｈ（登録商標）の規格に準拠した端末、すなわち、Ｂｌｕｅｔｏｏｔｈ（登録商標）搭載端末との間の距離を一定の時間ごとに取得（計測）し、Ｂｌｕｅｔｏｏｔｈ（登録商標）搭載端末との距離が所定の値より長いかどうかによって、端末との間における近距離無線通信が不可能かどうか、すなわち、フィルタリングの設定の解除条件が成立したかどうかを判断する端末距離判定部である。なお、前記近距離無線通信部１７は、ＦｅｌｉＣａ（登録商標）の機能を有し、端末から送信されたデータを読み取るための読取部としてのリーダを備える。
【００１９】
また、１９は複合機１０の全体の制御を行う制御部である。該制御部１９は、前記データ記憶部１４に、複合機１０の設定値、端末のＭＡＣアドレス等のデータを記録するとともに、記録したデータを読み出したり、変更したり、削除したりする。
【００２０】
前記データ記憶部１４は、ＭＡＣアドレスを記録し、登録するための識別情報記憶部としてのＭＡＣアドレステーブル（以下、「ＭＡＣアドレスフィルタリングテーブル」という。）を備える。そして、前記通信フィルタリング部１６は、前記ネットワーク通信部１３が受信したデータのフィルタリングの処理を行い、データの送信元の端末のＭＡＣアドレスを読み出し、前記ＭＡＣアドレスフィルタリングテーブルを参照し、データの送信元の端末の識別情報、すなわち、送信元情報であるＭＡＣアドレスと、ＭＡＣアドレスフィルタリングテーブルに登録されたＭＡＣアドレスとが同じであるかどうかを判断し、送信元情報であるＭＡＣアドレスと、ＭＡＣアドレスフィルタリングテーブルに登録されたＭＡＣアドレスとが同じである場合に、受信されたデータをそのまま保持し、送信元情報であるＭＡＣアドレスと、ＭＡＣアドレスフィルタリングテーブルに登録されたＭＡＣアドレスとが異なる場合に、受信されたデータを破棄する。
【００２１】
次に、本実施の形態において、データの送信元の端末としてモバイル端末を使用する場合の、複合機１０とモバイル端末とのネットワーク接続について説明する。
【００２２】
図２は本発明の実施の形態における複合機とモバイル端末とのネットワーク接続の例を示す図である。
【００２３】
図において、１０は複合機、２０は小型のノートパソコン、スマートフォン、タブレット等の携帯可能な端末、すなわち、モバイル端末である。
【００２４】
本実施の形態において、複合機１０とモバイル端末２０とは、無線ＬＡＮ（Ｌｏｃａｌ  Ａｒｅａ  Ｎｅｔｗｏｒｋ）であるネットワークＮｔを介してネットワーク接続され、インターネットで標準に使用されるプロトコル、すなわち、ＴＣＰ／ＩＰによる通信が可能にされる。これにより、モバイル端末２０からネットワークＮｔを介して複合機１０に印刷データを送信し、複合機１０において印刷データに基づいて媒体としての図示されない用紙に画像を形成し、印刷を行ったり、複合機１０において所定の原稿の画像を読み取り、複合機１０からネットワークＮｔを介して読取データを送信したりすることができる。
【００２５】
また、本実施の形態において、複合機１０とモバイル端末２０とは、Ｂｌｕｅｔｏｏｔｈ（登録商標）の規格によるネットワークＢｔを介して直接ネットワーク接続される。
【００２６】
前記モバイル端末２０は、ＦｅｌｉＣａ（登録商標）等のＮＦＣ（登録商標）の規格に準拠した端末であり、Ｂｌｕｅｔｏｏｔｈ（登録商標）搭載端末であり、かつ、無線ＬＡＮによる接続が可能な端末であって、本実施の形態においては、スマートフォンから成る。モバイル端末２０を操作することによって、ネットワークＮｔ、Ｂｔ等を介して複合機１０に印刷、スキャン等の指示を送信することができる。前記複合機１０、モバイル端末２０、ネットワークＮｔ、ネットワークＢｔ等によって、画像処理システムとしての画像形成システムＳｙが構成される。
【００２７】
本実施の形態においては、ネットワークＮｔとして無線ＬＡＮが使用されるようになっているが、無線ＬＡＮに代えて、インターネット等の他のネットワーク構成を使用することができる。
【００２８】
また、本実施の形態においては、複合機１０及びモバイル端末２０がＦｅｌｉＣａ（登録商標）及びＢｌｕｅｔｏｏｔｈ（登録商標）の機能を有するようになっているが、複合機１０及びモバイル端末２０のそれぞれに他の通信技術を搭載することによって複合機１０にモバイル端末２０をかざすことにより、複合機１０とモバイル端末２０との間において近距離無線通信を行ったり、複合機１０とモバイル端末２０との距離を判断したりすることができる。
【００２９】
次に、モバイル端末２０から複合機１０に印刷データを送信し、複合機１０において印刷を行う場合の前記画像形成システムＳｙの動作について説明する。
【００３０】
図３は本発明の実施の形態における画像形成システムの動作を示すフローチャート、図４は本発明の実施の形態におけるモバイル端末のＭＡＣアドレスの例を示す図である。
【００３１】
この場合、複合機１０にモバイル端末２０をかざすことによってデータ記憶部１４にモバイル端末２０のＭＡＣアドレスが登録され、モバイル端末２０から複合機１０に印刷データが送信された場合にだけ印刷が行われ、モバイル端末２０以外の端末から複合機１０に印刷データが送信された場合は印刷が行われない。なお、本実施の形態においては、印刷データを、モバイル端末２０から複合機１０にネットワークＮｔを介して送信するようになっているが、ネットワークＢｔを介して送信することもできる。
【００３２】
まず、複合機１０の操作者又はモバイル端末２０の所有者である利用者が、複合機１０の表示・操作部１５の操作部を操作し、フィルタリングの処理を行うことができるように、複合機１０をフィルタリングモードに設定する。
【００３３】
なお、該フィルタリングモードには、モバイル端末２０から送信される印刷データの一つのジョブについてだけフィルタリングを行う場合に設定される１ジョブモード、及びモバイル端末２０から送信される印刷データの各ジョブについてフィルタリングを行う場合に設定される連続モードがある。複合機１０が１ジョブモードに設定された場合は、ジョブについて印刷、すなわち、複合機１０における画像処理が終了するのに伴ってフィルタリングの設定が解除され、複合機１０が連続モードに設定された場合は、所定の解除条件が成立したときにフィルタリングの設定が解除される。本実施の形態において、フィルタリングモードは連続モードに設定されるようになっているが、操作部を操作することによって、１ジョブモードに設定することができる。
【００３４】
続いて、モバイル端末２０の利用者が、複合機１０における前記近距離無線通信部１７にモバイル端末２０をかざすと、近距離無線通信部１７は、モバイル端末２０がかざされたことをリーダによって検知（認識）してモバイル端末２０との間で近距離無線通信を行い、モバイル端末２０から、無線ＬＡＮによる通信（印刷データの送信）に使用されるＭＡＣアドレスを取得する。なお、本実施の形態においては、図４に示されるように、モバイル端末２０のＭＡＣアドレスとして、「ｘｘ：ｙｙ：ｚｚ：１２：３４：５６」が使用される。
【００３５】
次に、制御部１９は、近距離無線通信部１７が取得したモバイル端末２０のＭＡＣアドレスを、データ記憶部１４のＭＡＣアドレスフィルタリングテーブルに記録し、登録する。
【００３６】
そして、制御部１９は、通信フィルタリング部１６を介して、前記ＭＡＣアドレスフィルタリングテーブルを使用してフィルタリングの処理が行われるように、データ記憶部１４に登録されているＭＡＣアドレスによる通信フィルタリング部１６におけるフィルタリングの設定を行う。
【００３７】
続いて、端末距離判定部１８は、Ｂｌｕｅｔｏｏｔｈ（登録商標）を使用して複合機１０とモバイル端末２０とを接続し、複合機１０とモバイル端末２０との間の距離を取得することによって、距離の判定を開始する。
【００３８】
次に、フローチャートについて説明する。
ステップＳ１  複合機１０の操作者又はモバイル端末２０の所有者である利用者は複合機１０をフィルタリングモードに設定する。
ステップＳ２  近距離無線通信部１７はモバイル端末２０のＭＡＣアドレスを取得する。
ステップＳ３  制御部１９は取得したモバイル端末２０のＭＡＣアドレスをデータ記憶部１４のＭＡＣアドレスフィルタリングテーブルに記録する。
ステップＳ４  制御部１９はフィルタリングの設定を行う。
ステップＳ５  端末距離判定部１８は複合機１０とモバイル端末２０との間の距離の判定を開始し、処理を終了する。
【００３９】
本実施の形態においては、複合機１０の操作者又はモバイル端末２０の利用者が表示・操作部１５の操作部を操作することによって複合機１０にフィルタリングモードが設定されるようになっているが、操作者が、ネットワークＮｔを介して複合機１０と接続されたホストコンピュータを操作し、フィルタリングの設定を行うための所定の時刻、すなわち、開始時刻を複合機１０に送信することによってフィルタリングの設定が行われるようにすることができる。その場合、前記制御部１９は、図示されない計時部によって計時された時刻が開始時刻になったかどうかを判断し、計時された時刻が開始時刻になると、フィルタリングの設定を行う。その後、制御部１９は、フィルタリングの設定の解除条件が成立したかどうかを判断し、解除条件が成立した場合に、フィルタリングの設定を解除する。
【００４０】
また、モバイル端末２０の利用者が、モバイル端末２０の表示・操作部としての図示されない画面に形成されたメニューにおいてフィルタリングの機能を選択することによって、フィルタリングの設定が行われるようにすることができる。その場合、モバイル端末２０においてフィルタリングの機能が選択されると、モバイル端末２０からフィルタリング命令及びＭＡＣアドレスが複合機１０に送信され、複合機１０においてフィルタリング命令及びＭＡＣアドレスが受信されると、制御部１９はフィルタリングの設定を行う。
【００４１】
次に、制御部１９によって、モバイル端末２０のＭＡＣアドレスが登録され、フィルタリングの設定が行われた複合機１０において、モバイル端末２０から送信された印刷データについて印刷を行う場合の複合機１０の動作について説明する。
【００４２】
図５は本発明の実施の形態における印刷を行うときの複合機の動作を示すフローチャートである。
【００４３】
例えば、モバイル端末２０の利用者が、他の人によって印刷に使用されたくない特別な用紙を複合機１０の媒体収容部としての図示されない用紙カセットにセットし、モバイル端末２０からネットワークＮｔを介して複合機１０に印刷データ、及び前記用紙に対する印刷要求を送信すると、前記ネットワーク通信部１３（図１）は、ＴＣＰ／ＩＰのプロトコルによる通信によって、モバイル端末２０から送られた印刷データを受信し、前記通信フィルタリング部１６は、ネットワーク通信部１３を介して、印刷データの送信元、すなわち、モバイル端末２０の送信元情報であるＭＡＣアドレスを取得する。
【００４４】
続いて、前記通信フィルタリング部１６は受信データのフィルタリングの処理を行う。そのために、通信フィルタリング部１６は、ＭＡＣアドレスフィルタリングテーブルを参照し、送信元情報であるＭＡＣアドレスと、ＭＡＣアドレスフィルタリングテーブルに登録されたＭＡＣアドレスとが同じであるかどうか（「ｘｘ：ｙｙ：ｚｚ：１２：３４：５６」と一致するかどうか）を判断する。送信元情報であるＭＡＣアドレスと、ＭＡＣアドレスフィルタリングテーブルに登録されたＭＡＣアドレスとが同じである場合、ネットワーク通信部１３は印刷データをそのまま保持し、印刷部１２は受信した印刷データに従って前記用紙に対して印刷を行う。
【００４５】
また、送信元情報であるＭＡＣアドレスと、ＭＡＣアドレスフィルタリングテーブルに登録されたＭＡＣアドレスとが異なる場合、通信フィルタリング部１６は印刷データを破棄する。
【００４６】
次に、フローチャートについて説明する。
ステップＳ１１  ネットワーク通信部１３はモバイル端末２０から印刷データを受信する。
ステップＳ１２  通信フィルタリング部１６は受信した印刷データの送信元情報であるＭＡＣアドレス情報を取得する。
ステップＳ１３  通信フィルタリング部１６は送信元情報であるＭＡＣアドレスとＭＡＣアドレスフィルタリングテーブルに登録されたＭＡＣアドレスとが同じであるかどうかを判断する。送信元情報であるＭＡＣアドレスとＭＡＣアドレスフィルタリングテーブルに登録されたＭＡＣアドレスとが同じである場合はステップＳ１４に、送信元情報であるＭＡＣアドレスとＭＡＣアドレスフィルタリングテーブルに登録されたＭＡＣアドレスとが異なる場合はステップＳ１５に進む。
ステップＳ１４  印刷部１２は印刷を行い、処理を終了する。
ステップＳ１５  通信フィルタリング部１６は印刷データを破棄し、処理を終了する。
【００４７】
次に、複合機１０において印刷が終了した後にフィルタリングの設定を解除する場合の複合機１０の動作について説明する。
【００４８】
図６は本発明の実施の形態におけるフィルタリングの設定を解除する場合の複合機の動作を示すフローチャートである。
【００４９】
複合機１０において印刷が終了した後、モバイル端末２０の利用者がモバイル端末２０を手に持ったまま複合機１０から離れると、複合機１０とモバイル端末２０との距離が次第に長くなる。
【００５０】
そこで、本実施の形態においては、前記端末距離判定部１８によって取得した複合機１０とモバイル端末２０との間の距離が所定の値より長いかどうかによって、複合機１０とモバイル端末２０との間において近距離無線通信が不可能かどうか、すなわち、フィルタリングの設定の解除条件が成立したかどうかを判断するようになっている。
【００５１】
取得した距離が所定の値より長く、解除条件が成立した場合、前記制御部１９は、前記ＭＡＣアドレスフィルタリングテーブル（図４）からモバイル端末２０のＭＡＣアドレスである「ｘｘ：ｙｙ：ｚｚ：１２：３４：５６」を削除する。
【００５２】
そして、制御部１９は、通信フィルタリング部１６を介して、前記ＭＡＣアドレスフィルタリングテーブルに記録されたＭＡＣアドレスによるフィルタリングの設定を解除し、フィルタリング処理を終了する。
【００５３】
次に、フローチャートについて説明する。
ステップＳ２１  端末距離判定部１８は複合機１０とモバイル端末２０との間の距離を取得する。
ステップＳ２２  端末距離判定部１８は取得した距離が所定の値より長いかどうかを判断する。取得した距離が所定の値より長い場合はステップＳ２３に進み、取得した距離が所定の値以下である場合はステップＳ２１に戻る。
ステップＳ２３  制御部１９はモバイル端末２０のＭＡＣアドレスを削除する。
ステップＳ２４  制御部１９はフィルタリングの設定を解除し、処理を終了する。
【００５４】
本実施の形態においては、複合機１０とモバイル端末２０との間の距離が所定の値より長い場合に、フィルタリングの設定が解除されるようになっているが、フィルタリングの設定が解除される前に、モバイル端末２０の利用者にフィルタリングの設定が解除される旨の警告を通知するようにすることができる。その場合、複合機１０とモバイル端末２０との間の距離が前記所定の値より短い一定の値になると、制御部１９は、例えば、表示・操作部１５の表示部に、印刷データについての印刷を行うことができなくなる旨のメッセージを表示したり、表示・操作部１５の音声出力部から、印刷データについての印刷を行うことができなくなる旨のメッセージを音声で出力したりする。
【００５５】
また、本実施の形態においては、複合機１０とモバイル端末２０との間の距離が所定の値より長い場合に解除条件が成立するようになっているが、複合機１０の操作者又はモバイル端末２０の利用者が表示・操作部１５の操作部を操作して操作要素としての解除ボタンを押下したときに解除条件が成立するようにすることができる。なお、表示・操作部１５の表示部の画面に解除ボタンを表示し、複合機１０の操作者又はモバイル端末２０の利用者が解除ボタンを押下したときに解除条件が成立するようにすることもできる。
【００５６】
さらに、モバイル端末２０の利用者が複合機１０にモバイル端末２０をかざすことによって解除条件が成立するようにすることができる。その場合、モバイル端末２０から複合機１０に送信された送信データに基づいて最後に印刷が行われてから一定の時間が経過した後、モバイル端末２０の利用者が複合機１０にモバイル端末２０をかざしたときに解除条件が成立するようにするのが好ましい。なお、フィルタリングの設定を解除する際にかざすモバイル端末２０は、モバイル端末２０のＭＡＣアドレスを登録する際に複合機１０にかざしたモバイル端末２０と同じものにされる。
【００５７】
このように、本実施の形態においては、近距離無線通信部１７によって近距離無線通信が行われてモバイル端末２０のＭＡＣアドレスが取得され、取得されたモバイル端末２０のＭＡＣアドレスに基づいて、通信フィルタリング部１６におけるフィルタリングの設定が行われるので、ホストコンピュータを複合機１０に接続する必要がなく、ホストコンピュータの操作者がネットワークＮｔ等に関する詳しい知識を有している必要がないだけでなく、複合機１０を設定する方法が簡単であるので、設定のための作業を簡素化することができる。したがって、ＭＡＣアドレスが取得されたモバイル端末２０だけが複合機１０を使用することができるように容易に設定することができる。
【００５８】
また、フィルタリングを正しく設定することができるので、特定の端末以外の端末によって複合機１０が使用されることがない。したがって、セキュリティの問題が発生することがない。
【００５９】
本実施の形態においては、ＭＡＣアドレスを識別情報として使用してフィルタリングの設定が行われるようになっているが、ネットワーク通信で使用可能なモバイル端末とそれ以外の端末との間を識別可能にする情報、例えば、ＩＰアドレス、ＵＵＩＤ（Ｕｎｉｖｅｒｓａｌｌｙ  Ｕｎｉｑｕｅ  Ｉｄｅｎｔｉｆｉｅｒ）、ホスト名、ＵＲＬ（Ｕｎｉｆｏｒｍ  Ｒｅｓｏｕｒｓｅ  Ｌｏｃａｔｏｒ）等を識別情報として使用して、フィルタリングの設定を行うようにすることができる。
【００６０】
さらに、本実施の形態においては、モバイル端末２０の利用者がモバイル端末２０から複合機１０に印刷データ及び印刷要求を送信するようになっているが、利用者がモバイル端末２０から複合機１０に読取要求を送り、複合機１０の画像読取部１１（図１）にセットされた原稿の画像を読み取らせるようにすることができる。その場合、モバイル端末２０の利用者が読取データの送信要求をネットワークＮｔを介して複合機１０に送信すると、制御部１９は、送信要求の送信元情報であるＭＡＣアドレスと、ＭＡＣアドレスフィルタリングテーブルに登録されたＭＡＣアドレスとが同じであるかどうかを判断し、送信元情報であるＭＡＣアドレスと、ＭＡＣアドレスフィルタリングテーブルに登録されたＭＡＣアドレスとが同じである場合、通信フィルタリング部１６は読取データを保持し、ネットワーク通信部１３は読取データをモバイル端末２０に送信し、送信元情報であるＭＡＣアドレスと、ＭＡＣアドレスフィルタリングテーブルに登録されたＭＡＣアドレスとが異なる場合、通信フィルタリング部１６は読取データを破棄する。
【００６１】
なお、本発明は前記実施の形態に限定されるものではなく、本発明の趣旨に基づいて種々変形させることが可能であり、それらを本発明の範囲から排除するものではない。
【符号の説明】
【００６２】
１０    複合機
１３    ネットワーク通信部
１６    通信フィルタリング部
１７    近距離無線通信部
１９    制御部
２０    モバイル端末
Ｎｔ    ネットワーク
【図１】
0006611630.tif 000002
【図２】
0006611630.tif 000003
【図３】
0006611630.tif 000004
【図４】
0006611630.tif 000005
【図５】
0006611630.tif 000006
【図６】
0006611630.tif 000007